(57)【要約】【課題】カラオケ装置の動作を中断すべきでないときに、リモコン端末からの操作指示によってカラオケ装置の再起動を伴う特定処理が実行されないようにする。【解決手段】リモコン端末は、通常処理の実行要求を無線ＬＡＮ通信を用いてカラオケ装置に送信する（Ｓ１０）。これに対してカラオケ装置は、リモコン端末から無線ＬＡＮ通信を介して通常処理の実行要求を受信すると、受信した実行要求に対応する通常処理を実行する（Ｓ１２）。一方、リモコン端末は、カラオケ装置の再起動を伴う特定処理を実行させるための実行要求をカラオケ装置に送信する際には、無線ＬＡＮ通信と赤外線通信の両方を用いて特定処理の実行要求を送信する（Ｓ２０，Ｓ２２）。これに対してカラオケ装置は、リモコン端末から無線ＬＡＮ通信及び赤外線通信の両方で特定処理の実行要求を受信したことを条件に、受信した実行要求に対応する特定処理を実行する（Ｓ２４）。【選択図】  図２
2015069033.tif 000002
【特許請求の範囲】
【請求項１】
カラオケ装置と、前記カラオケ装置に対して操作指示を与えるリモコン端末とを備えるカラオケシステムであって、
前記リモコン端末は、
無線で前記カラオケ装置と通信を行う第１通信手段と、
無線で前記カラオケ装置と通信を行う第２通信手段であって、前記第１通信手段よりも通信可能エリアが小さい、又は通信可能距離が短い通信形式である第２通信手段と、
前記第１通信手段及び第２通信手段の少なくとも何れかを用いて、前記カラオケ装置に対して操作指示を送信する第１制御手段と、
を備え、
前記カラオケ装置は、
前記リモコン端末の第１通信手段との通信を行う第３通信手段と、
前記リモコン端末の第２通信手段との通信を行う第４通信手段であって、前記第３通信手段よりも通信可能エリアが小さい、又は通信可能距離が短い通信形式である第４通信手段と、
前記リモコン端末から受信した操作指示に対応する処理を実行する第２制御手段と、
を備え、
前記リモコン端末と、このリモコン端末の操作対象となる前記カラオケ装置とが対応付けられている状態において、
前記リモコン端末の第１制御手段は、所定の通常処理を前記カラオケ装置に実行させるための通常操作指示を送信する場合には、前記第１通信手段を用いて前記通常操作指示を前記カラオケ装置に送信する一方、前記通常処理とは区別された特定処理を前記カラオケ装置に実行させるための特定操作指示を送信する場合には、前記第１通信手段と前記第２通信手段との両方を用いて、前記特定操作指示を前記カラオケ装置に送信し、
前記カラオケ装置の第２制御手段は、前記第３通信手段を介して前記リモコン端末から前記通常操作指示を受信したことを条件に、受信した通常操作指示に対応する通常処理を実行する一方、前記第３通信手段及び前記第４通信手段の両方で前記リモコン端末から前記特定操作指示を受信した受信したことを条件に、受信した特定操作指示に対応する特定処理を実行すること、
を特徴とするカラオケシステム。
【請求項２】
請求項１に記載のカラオケシステムにおいて、
前記リモコン端末の第１制御手段は、前記第２通信手段を用いて前記特定操作指示を送信するときに、送出する信号波の出力強度を、前記第２通信手段において規定されている通常時の出力強度よりも低下させること、
を特徴とするカラオケシステム。
【請求項３】
請求項１に記載のカラオケシステムにおいて、
前記カラオケ装置の第２制御手段は、前記第３通信手段を介して前記リモコン端末から前記特定操作指示を受信したときに、前記第４通信手段による信号波の受信感度を、前記第４通信手段において規定されている通常時の受信感度よりも低下させた状態で、前記第４通信手段を介して前記リモコン端末から前記特定操作指示を受信すること、
を特徴とするカラオケシステム。
【請求項４】
無線でカラオケ装置と通信を行う第１通信手段と、
無線で前記カラオケ装置と通信を行う第２通信手段であって、前記第１通信手段よりも通信可能エリアが小さい、又は通信可能距離が短い通信形式である第２通信手段と、
前記第１通信手段及び第２通信手段の少なくとも何れかを用いて、前記カラオケ装置に対して操作指示を送信する制御手段と、
を備え、
操作対象となる前記カラオケ装置と対応付けられている状態において、
前記制御手段は、所定の通常処理を前記カラオケ装置に実行させるための通常操作指示を送信する場合には、前記第１通信手段を用いて前記通常操作指示を前記カラオケ装置に送信する一方、前記通常処理とは区別された特定処理を前記カラオケ装置に実行させるための特定操作指示を送信する場合には、前記第１通信手段と前記第２通信手段との両方を用いて、前記特定操作指示を前記カラオケ装置に送信し、かつ、前記第２通信手段を用いて前記特定操作指示を送信するときに、送出する信号波の出力強度を、前記第２通信手段において規定されている通常時の出力強度よりも低下させること、
を特徴とするリモコン端末。
【請求項５】
リモコン端末と通信を行う第１通信手段と、
無線で前記リモコン端末と通信を行う第２通信手段であって、前記第１通信手段よりも通信可能エリアが小さい、又は通信可能距離が短い通信形式である第２通信手段と、
前記リモコン端末から受信した操作指示に対応する処理を実行する制御手段と、
を備え、
操作指示の発信元となる前記リモコン端末と対応付けられている状態において、
前記制御手段は、前記第１通信手段を介して前記リモコン端末から前記通常操作指示を受信したことを条件に、受信した通常操作指示に対応する通常処理を実行する一方、前記第１通信手段を介して前記リモコン端末から前記特定操作指示を受信したときに、前記第２通信手段による信号波の受信感度を、前記第２通信手段において規定されている通常時の受信感度よりも低下させた状態で、前記第２通信手段を介して前記リモコン端末から前記特定操作指示を受信したことを条件に、受信した特定操作指示に対応する特定処理を実行すること、
を特徴とするカラオケ装置。
【発明の詳細な説明】
【技術分野】
【０００１】
本発明は、カラオケ装置と、カラオケ装置に対する操作指示を与えるリモコン端末とを備えるカラオケシステムに関する。
【背景技術】
【０００２】
近年、カラオケ店舗に設置されるカラオケ装置を操作する際には、無線ＬＡＮを利用する通信機能を備えたリモコン端末を使用することが一般的になっている。また、カラオケ装置とリモコン端末とは、電波を媒体とする通信手段と、赤外線を媒体とする通信手段とを用いて、互いを操作対象として対応付ける「括り付け」を行うシステムであることも知られている（例えば、特許文献１参照）。
【０００３】
この種のリモコン端末では、利用客がカラオケサービスを利用するために使用する機能に関する操作に限らず、カラオケ装置の動作設定の変更といったメンテナンス業務に関する操作もリモコン端末で行うことができるようになっている。また、１台のカラオケ装置に対して複数台のリモコン端末を括り付けして操作可能にすることも可能である。これにより、例えば、１台のリモコン端末を利用客がカラオケルーム内で使用し、もう１台のリモコン端末を用いて店員がバックヤードでカラオケ装置の設定変更を行うこともできるようになっている。
【先行技術文献】
【特許文献】
【０００４】
【特許文献１】特開２００９−１５９５５７号公報
【発明の概要】
【発明が解決しようとする課題】
【０００５】
カラオケ装置の動作設定を変更する際、設定内容によっては、設定内容を動作に反映するためにカラオケ装置の再起動を伴うものがある。そのため、カラオケルームにおいて利用客がカラオケ装置を使用中であることを確認せずに、店員がバックヤードからカラオケ装置の再起動を伴う設定変更を行ってしまうおそれがある。このような問題に対し、カラオケ装置の再起動を伴うような設定変更を、リモコン端末で行うことができないように制限することも考えられるが、常にそのような制限をかけることは利便性を欠く。
【０００６】
本発明は、上記問題を解決するためになされたものである。その目的は、カラオケ装置の動作を中断すべきでないときに、リモコン端末からの操作指示によるカラオケ装置の再起動を伴う特定処理が実行されないようにするための技術を提供することである。
【課題を解決するための手段】
【０００７】
本発明のカラオケシステムは、カラオケ装置と、カラオケ装置に対して操作指示を与えるリモコン端末とを備える。リモコン端末は、無線でカラオケ装置との通信を行う第１通信手段及び第２通信手段と、第１通信手段及び第２通信手段の少なくとも何れかを用いて、カラオケ装置に対して操作指示を送信する制御手段とを備える。カラオケ装置は、リモコン端末の第１通信手段及び第２通信手段との通信を行う第３通信手段及び第４通信手段と、リモコン端末から受信した操作指示に対応する処理を実行する第２制御手段とを備える。なお、第２通信手段及び第４通信手段には、第１通信手段及び第３通信手段よりも通信可能エリアが小さい、又は通信可能距離が短い通信形式が適用されるものとする。
【０００８】
そして、リモコン端末と、このリモコン端末の操作対象となるカラオケ装置とが対応付けられている状態において、リモコン端末及びカラオケ装置は以下のような動作を行う。リモコン端末の第１制御手段は、所定の通常処理をカラオケ装置に実行させるための通常操作指示を送信する場合には、第１通信手段を用いて通常操作指示をカラオケ装置に送信する。一方、通常処理とは区別された特定処理をカラオケ装置に実行させるための特定操作指示を送信する場合には、第１通信手段と第２通信手段との両方を用いて、特定操作指示をカラオケ装置に送信する。
【０００９】
カラオケ装置の第２制御手段は、第３通信手段を介してリモコン端末から通常操作指示を受信したことを条件に、受信した通常操作指示に対応する通常処理を実行する。一方、第３通信手段及び第４通信手段の両方でリモコン端末から特定操作指示を受信した受信したことを条件に、受信した特定操作指示に対応する特定処理を実行する。
【００１０】
本発明によれば、例えば、カラオケ装置の再起動を要するような特定操作をカラオケ装置に実行させるためには、リモコン端末から、２種類の通信手段の両方を用いて特定操作指示をカラオケ装置に対して送信する必要がある。このとき、リモコン端末の操作者は、通信可能エリアが小さい、又は通信可能距離が短い方の第２通信手段によってカラオケ装置との通信が可能な位置まで、リモコン端末を持ってカラオケ装置に接近する必要がある。特定操作指示の送信にこのような制約が課せられることで、カラオケルーム内でカラオケ装置が利用客によって使用されている最中であるかを、リモコン端末の操作者（店員）が必然的に確認できる状況を作り出すことができる。これにより、カラオケルーム内で利用客がカラオケ装置を使用中であることを確認せずに、店員がバックヤードから特定操作を実行させてしまうといったミスを未然に防ぐことができる。
【００１１】
特定操作指示を送信するときの制約をより確実にするための工夫として、請求項２に記載のように構成してもよい。すなわち、リモコン端末の第１制御手段は、第２通信手段を用いて特定操作指示を送信するときに、送出する信号波の出力強度を、第２通信手段において規定されている通常時の出力強度よりも低下させる。
【００１２】
例えば、カラオケ装置のリモコン端末のとの括り付けを、第２通信手段及び第４通信手段を用いて行うときには、通常時の出力強度に設定し、特定操作指示を送信するときには、出力強度を通常時よりも低下させるといった運用が考えられる。このようにすることで、リモコン端末の操作者は、特定操作をカラオケ装置に送信するために、第２通信手段の出力強度が低下した状態でカラオケ装置との通信が可能な位置まで、より一層カラオケ装置に接近する必要がある。それにより、カラオケ装置の使用中に不用意に特定操作を実行させてしまうといったミスを、より確実に防止できる。
【００１３】
あるいは、特定操作指示を送信するときの制約をより確実にするための別の工夫として、請求項３に記載のように構成してもよい。すなわち、カラオケ装置の第２制御手段は、第３通信手段を介してリモコン端末から特定操作指示を受信したときに、第４通信手段による信号波の受信感度を、第４通信手段において規定されている通常時の受信感度よりも低下させた状態で、第４通信手段を介してリモコン端末から特定操作指示を受信する。
【００１４】
例えば、カラオケ装置のリモコン端末のとの括り付けを、第２通信手段及び第４通信手段を用いて行うときには、通常時の受信感度に設定し、特定操作指示を受信するときには、受信感度を通常時よりも低下させるといった運用が考えられる。このようにすることで、リモコン端末の操作者は、特定操作指示をカラオケ装置に受信させるために、第４通信手段の受信感度が低下した状態でカラオケ装置との通信が可能な位置まで、より一層カラオケ装置に接近する必要がある。それにより、カラオケ装置の使用中に不用意に特定操作を実行させてしまうといったミスを、より確実に防止できる。
【００１５】
請求項４に記載のリモコン端末は、無線でカラオケ装置との通信を行う第１通信手段及び第２通信手段と、第１通信手段及び第２通信手段の少なくとも何れかを用いて、カラオケ装置に対して操作指示を送信する制御手段とを備える。なお、第２通信手段には、第１通信手段よりも通信可能エリアが小さい、又は通信可能距離が短い通信形式が適用されるものとする。そして、リモコン端末と、このリモコン端末の操作対象となるカラオケ装置とが対応付けられている状態において、リモコン端末は以下のような動作を行う。
【００１６】
リモコン端末の制御手段は、所定の通常処理をカラオケ装置に実行させるための通常操作指示を送信する場合には、第１通信手段を用いて通常操作指示をカラオケ装置に送信する。一方、通常処理とは区別された特定処理をカラオケ装置に実行させるための特定操作指示を送信する場合には、第１通信手段と第２通信手段との両方を用いて、特定操作指示をカラオケ装置に送信する。ただし、制御手段は、第２通信手段を用いて特定操作指示を送信するときに、送出する信号波の出力強度を、第２通信手段において規定されている通常時の出力強度よりも低下させる。請求項４に記載のリモコン端末によれば、請求項２に記載のカラオケシステムについて記載した効果と同様の効果を奏する。
【００１７】
請求項５に記載のカラオケ装置は、リモコン端末との通信を行う第１通信手段及び第２通信手段と、リモコン端末から受信した操作指示に対応する処理を実行する制御手段とを備える。なお、第２通信手段には、第１通信手段よりも通信可能エリアが小さい、又は通信可能距離が短い通信形式が適用されるものとする。そして、リモコン端末と、このリモコン端末の操作対象となるカラオケ装置とが対応付けられている状態において、カラオケ装置は以下のような動作を行う。
【００１８】
制御手段は、第１通信手段を介してリモコン端末から通常操作指示を受信したことを条件に、受信した通常操作指示に対応する通常処理を実行する。一方、第１通信手段を介してリモコン端末から特定操作指示を受信したときに、第２通信手段による信号波の受信感度を、第２通信手段において規定されている通常時の受信感度よりも低下させた状態で、第２通信手段を介してリモコン端末から特定操作指示を受信したことを条件に、受信した特定操作指示に対応する特定処理を実行する。請求項５に記載のカラオケ装置によれば、請求項３に記載のカラオケシステムについて記載した効果と同様の効果を奏する。
【図面の簡単な説明】
【００１９】
【図１】カラオケシステムの概略構成を示すブロック図。
【図２】（ａ）通常処理の実行要求の手順を示すシーケンス図、（ｂ）特定処理の実行要求の手順を示すシーケンス図（第１実施形態）。
【図３】（ａ）特定処理の実行要求の手順を示すシーケンス図（第２実施形態）、（ｂ）特定処理の実行要求の手順を示すシーケンス図（第３実施形態）。
【図４】リモコン端末が実行する処理の手順を示すフローチャート。
【図５】カラオケ装置が実行する処理の手順を示すフローチャート。
【発明を実施するための形態】
【００２０】
以下、本発明の一実施形態を図面に基づいて説明する。なお、本発明は下記の実施形態に限定されるものではなく様々な態様にて実施することが可能である。
［カラオケシステム１の構成の説明］
図１に示すように、カラオケシステム１は、カラオケ店舗内のカラオケルームに設置されるカラオケ装置２と、カラオケ装置２の設置されたカラオケルーム内でカラオケ装置２の操作のために使用される可搬型の無線通信端末であるリモコン端末３と、カラオケ店舗内の各所に配置される無線ＬＡＮアクセスポイント４とを有する。なお、図１では、カラオケ装置２、リモコン端末３を１つずつ図示しているが、複数のカラオケルームにカラオケ装置２及びリモコン端末３が設置されていてもよい。カラオケ装置２及び無線ＬＡＮアクセスポイント４は、カラオケ店舗内に敷設された有線ＬＡＮ１００を介して相互に通信可能に接続されている。カラオケ装置２とリモコン端末３とは、無線ＬＡＮアクセスポイント４が中継する無線ＬＡＮ及び有線ＬＡＮ１００を介して情報通信ができるようになっている。
【００２１】
カラオケ装置２は、カラオケサービスを利用するユーザから指定されたカラオケ楽曲の再生を行う装置である。カラオケ装置２は、ハードウェア構成として制御部２１、記憶部２２、操作部２３、再生部２４、ＬＡＮ通信部２５、赤外線通信部２６等を備える。
【００２２】
制御部２１は、ＣＰＵ，ＲＯＭ，ＲＡＭ等を備える情報処理デバイスであり、ＲＯＭや記憶部２２に記憶されているプログラムに従って各種処理を実行する。記憶部２２は、ハードディスクドライブ等の記憶装置である。記憶部２２には、制御部２１に実行させるプログラムや、その実行時に用いられるデータが記憶されている。また、記憶部２２は、個々のカラオケ楽曲に対応する楽曲データを多数収録したカラオケデータベースを有している。操作部２３は、ユーザからの各種指示を入力するための入力装置であり、タッチパネルやキースイッチ等によって構成される。再生部２４は、記憶部２２に記憶されている楽曲データに基づいて楽曲の再生を行う。再生された楽曲の音響は、カラオケ装置２に接続されたスピーカ（図示なし）から出力される。
【００２３】
ＬＡＮ通信部２５は、カラオケ装置２を有線ＬＡＮ１００に接続して、所定の通信規格（例えば、ＴＣＰ／ＩＰ）に従って外部と通信を行うための通信インタフェースである。赤外線通信部２６は、リモコン端末３との間で赤外線を媒体とする所定の赤外線通信規格に沿った赤外線通信を行う通信インタフェースである。この赤外線通信部２６は、制御部２１からの指令に応じて、赤外線信号の受信感度を調節できるように構成されている。なお、カラオケ装置２のその他の構成や機能については公知技術に従っているので、ここでの詳細な説明は省略する。
【００２４】
リモコン端末３は、カラオケルーム内でカラオケ装置２を遠隔操作するためのものであり、ユーザが再生を希望するコンテンツのリクエストを行うための操作等の各種操作をユーザから受け付け、その操作信号を操作対象として対応付けられたカラオケ装置２に送信する機能を備える。また、リモコン端末３は、カラオケ装置２のシステムやハードウェアの設定や変更といったメンテナンスに関する機能の実行要求を送信する機能も備える。
【００２５】
リモコン端末３は、制御部３１、記憶部３２、操作部３３、表示部３４、無線ＬＡＮ通信部３５、赤外線通信部３６等を備えている。制御部３１は、ＣＰＵ，ＲＯＭ，ＲＡＭ等を備える情報処理デバイスであり、ＲＯＭや記憶部３２に記憶されているプログラムに従って各種処理を実行する。記憶部３２は、各種情報を記憶する記憶装置である。記憶部３２には、制御部３１に実行させるプログラムや、その実行時に用いられるデータが記憶されている。操作部３３は、ユーザからの各種指示を入力するための入力装置であり、表示部３４の表示領域に沿って設置されるタッチパネル及び複数のキースイッチ等によって構成される。表示部３４は、画像を表示するための表示装置であり、例えば液晶ディスプレイ等によって構成される。
【００２６】
無線ＬＡＮ通信部３５は、無線ＬＡＮアクセスポイント４との無線ＬＡＮ通信を介して有線ＬＡＮ１００に接続し、カラオケ装置２との間で所定の通信規格（例えば、ＴＣＰ／ＩＰ）に従った通信を行う通信インタフェースである。赤外線通信部３６は、カラオケ装置２との間で赤外線を媒体とする所定の赤外線通信規格に沿った赤外線通信を行う通信インタフェースである。この赤外線通信部３６は、制御部３１からの指令に応じて赤外線信号の出力強度を調節できるように構成されている。なお、リモコン端末３のその他の構成や機能については公知技術に従っているので、ここでの詳細な説明は省略する。
【００２７】
無線ＬＡＮアクセスポイント４は、所定の無線ＬＡＮ規格に従った無線通信で端末間を接続するための電波中継機である。なお、複数の無線ＬＡＮアクセスポイント４が、カラオケ店舗内の各所に分散して配置されていてもよい。なお、無線ＬＡＮアクセスポイント４の構成については周知のものと同様であるので、ここでの説明は省略する。
【００２８】
このようなカラオケシステム１では、その利用に際して、カラオケシステム１の管理者（カラオケ店）側から利用客に対して１以上のリモコン端末３が貸与される。そのとき、カラオケ装置２が設置されたカラオケルーム内において、貸与されたリモコン端末３とカラオケ装置２との間で、赤外線通信、又は赤外線通信と無線ＬＡＮ通信の両方により通信を行わせることで両者を操作対象として対応付ける「括り付け」が行われる。この括り付けは、カラオケ装置２とリモコン端末３とが、互いの識別情報（例えば、製造番号やＭＡＣアドレス等）を通知して、それぞれ記憶することで成立する。こうして、カラオケ装置２とリモコン端末３とが、互いを操作対象として特定したうえで各種情報のやり取りを行うようになる。
【００２９】
一般的に、光線を用いる赤外線通信は、電波を用いる無線ＬＡＮ通信とは異なり、光線の伝搬経路に存在する障害物によって光線が遮られるために、居室等の壁を介して通信を行うことができない。そのため、赤外線通信の通信可能エリアは、無線ＬＡＮ通信の通信可能エリアと比較して小さい。別の言い方をすれば、通信可能距離が短い。このような赤外線通信の性質のため、カラオケルーム内においては、赤外線通信の通信可能エリアがカラオケルーム内の目視範囲に限定される。この性質を利用して赤外線通信を用いて括り付けを行うことで、リモコン端末３が他室にあるカラオケ装置２との間で誤って括付けされることを防止できるようになっている。
【００３０】
一方、無線ＬＡＮ通信は、電波を媒体とする通信であるため、一般的な建築物の壁等の障害物を越えて通信が可能であり、赤外線通信よりも通信可能エリアが広くなっている。そのため、一旦括り付けが行われたリモコン端末３を、括り付け先のカラオケ装置２のあるカラオケルームの外に持ち出しても、無線ＬＡＮ通信を介してカラオケ装置２を操作できる。この性質を利用して、予めカラオケルーム内でカラオケ装置２と括り付けをしたリモコン端末３をバックヤードに置いて、管理者がカラオケ装置２のシステムやハードウェアの設定・変更等の操作に用いるといった運用も可能となっている。
【００３１】
ところが、カラオケ装置２のシステムやハードウェアの設定や変更に係る処理を実行した場合、その設定や変更の内容を適用するために、カラオケ装置２の再起動（ソフトウェアリブート）が伴う場合がある。もし、カラオケルーム内で利用客がカラオケ装置２を利用しているときに、外部からカラオケ装置２の再起動を伴う処理の実行要求がなされた場合、利用客に対するサービスが強制的に中断されてしまうおそれがある。
【００３２】
このような不都合を防ぐために、本実施形態のカラオケシステム１では次のような工夫が適用されている。すなわち、リモコン端末３からカラオケ装置２に対して送信可能な各種操作指示について、カラオケ装置２の再起動を伴わない処理の実行要求と、再起動を伴う処理の実行要求との分類を、カラオケ装置２及びリモコン端末３に予め登録しておく。以下、カラオケ装置２の再起動を伴わない処理を通常処理と称し、再起動を伴う処理を特定処理と称する。リモコン端末３が特定処理の実行要求を送信し、操作対象のカラオケ装置２がこれを実行する際の手順において、赤外線通信を利用することで通常処理の実行要求の手順とは異なる手順を実施する。この一連の処理の詳細な説明については後述する。
【００３３】
［通常処理の実行要求に関する処理シーケンスの説明］
リモコン端末３からカラオケ装置２に対して、再起動を伴わない通常処理の実行要求を行う手順について、図２（ａ）のシーケンス図を参照しながら説明する。
【００３４】
リモコン端末３の制御部３１は、操作部３３を介して操作者から受付けた操作指示に対応する処理の実行要求を示す情報を、無線ＬＡＮ通信部３５を用いて操作対象のカラオケ装置２に送信する（Ｓ１０）。ここでいう操作対象のカラオケ装置２とは、上述の括り付け処理によってリモコン端末３と対応付けられたカラオケ装置２を指す。制御部３１は、送信した実行要求に係る処理が通常処理に該当すると判断した場合、ここで実行要求の送信を終わる。一方、カラオケ装置２の制御部２１は、ＬＡＮ通信部２５によってリモコン端末３から受信した実行要求が通常処理に該当すると判断した場合、受信した実行要求に対応する通常処理を実行する（Ｓ１２）。
【００３５】
［特定処理の実行要求に関する処理シーケンス（第１実施形態）の説明］
リモコン端末３からカラオケ装置２に対して、再起動を伴う特定処理の実行要求を行う手順の第１実施形態について、図２（ｂ）のシーケンス図を参照しながら説明する。
【００３６】
リモコン端末３の制御部３１は、操作部３３を介して操作者から受付けた操作指示に対応する処理の実行要求を示す情報を、無線ＬＡＮ通信部３５を用いて操作対象のカラオケ装置２に送信する（Ｓ２０）。制御部３１は、送信した実行要求に係る処理が特定処理に該当すると判断した場合、つぎに、当該特定処理の実行要求を示す情報を、赤外線通信部３６を用いてカラオケ装置２に送信する（Ｓ２２）。
【００３７】
一方、カラオケ装置２の制御部２１は、ＬＡＮ通信部２５によってリモコン端末３から受信した実行要求が特定処理に該当すると判断した場合、この時点ではまだ特定処理を実行しない。つぎに、赤外線通信部２６によって当該特定処理の実行要求を受信したことを条件に、制御部２１は、ＬＡＮ通信及び赤外線通信の両方で受信した実行要求に対応する特定処理を実行する（Ｓ２４）。
【００３８】
［第１実施形態の効果］
リモコン端末３からカラオケ装置２に対して特定処理を実行させる際には、リモコン端末３をカラオケ装置２との赤外線通信を行うための通信可能エリア（目視範囲）に持込むことが必要になる。この制約が課せられることで、カラオケルーム内でカラオケ装置２が利用客によって使用されている最中であるかを、リモコン端末３の操作者が必然的に確認する状況を作り出すことができる。これにより、カラオケルーム内で利用客がカラオケ装置２を使用中であることを確認せずに、カラオケルーム外から特定操作を実行させてしまうことを未然に防ぐことができる。
【００３９】
［特定処理の実行要求に関する処理シーケンス（第２実施形態）の説明］
リモコン端末３からカラオケ装置２に対して、再起動を伴う特定処理の実行要求を行う手順の第２実施形態について、図３（ａ）のシーケンス図を参照しながら説明する。
【００４０】
リモコン端末３の制御部３１は、操作部３３を介して操作者から受付けた操作指示に対応する処理の実行要求を示す情報を、無線ＬＡＮ通信部３５を用いて操作対象のカラオケ装置２に送信する（Ｓ３０）。これに対し、カラオケ装置２の制御部２１は、ＬＡＮ通信部２５によってリモコン端末３から受信した実行要求が特定処理に該当すると判断した場合、ＬＡＮ通信部２５を用いて要求元のリモコン端末３に応答を送信する。なお、この時点ではまだ特定処理を実行しない。
【００４１】
リモコン端末３の制御部３１は、送信した実行要求に係る処理が特定処理に該当すると判断した場合、赤外線通信部３６の赤外線信号の出力強度を、通常時における所定の出力強度から一定量低下させる（Ｓ３２）。通常時の出力強度は、例えば、上述の括り付け処理のときの赤外線通信に適用される出力強度である。赤外線信号の出力強度が低下することで、カラオケ装置２とリモコン端末３との赤外線による通信可能距離は、通常時よりも短くなる。つぎに、制御部３１は、赤外線信号の出力強度を下げた状態の赤外線通信部３６を用いて、当該特定処理の実行要求を示す情報をカラオケ装置２に送信する（Ｓ３４）。制御部３１は、赤外線通信部３６を用いて特定処理の実行要求を送信した後、赤外線通信部３６の赤外線信号の出力強度を、通常時の出力強度に戻す（Ｓ３６）。
【００４２】
一方、カラオケ装置２の制御部２１は、赤外線通信部２６によって当該特定処理の実行要求を受信したことを条件に、ＬＡＮ通信及び赤外線通信の両方で受信した実行要求に対応する特定処理を実行する（Ｓ３８）。
【００４３】
［第２実施形態の効果］
第２実施形態では、リモコン端末３が赤外線通信を用いて特定処理の実行要求を送信するときに、赤外線信号の出力強度を通常より下げることができる。これにより、赤外線通信の通信可能エリアを一時的に縮小させることができる。赤外線通信の通信可能エリアが縮小するので、特定処理の実行要求の送信を成功させるためには、リモコン端末３を更に確実にカラオケ装置２に接近させる必要がある。よって、利用客がカラオケ装置２を使用しているときに不用意に特定操作を実行させてしまうことを、更に確実に防止できる。
【００４４】
［特定処理の実行要求に関する処理シーケンス（第３実施形態）の説明］
リモコン端末３からカラオケ装置２に対して、再起動を伴う特定処理の実行要求を行う手順の第３実施形態について、図３（ｂ）のシーケンス図を参照しながら説明する。
【００４５】
リモコン端末３の制御部３１は、操作部３３を介して操作者から受付けた操作指示に対応する処理の実行要求を示す情報を、無線ＬＡＮ通信部３５を用いて操作対象のカラオケ装置２に送信する（Ｓ４０）。これに対し、カラオケ装置２の制御部２１は、ＬＡＮ通信部２５によってリモコン端末３から受信した実行要求が特定処理に該当すると判断した場合、赤外線通信部２６の赤外線信号に対する受信感度を、通常時における所定の受信感度から一定量低下させる（Ｓ４２）。通常時の受信感度は、例えば、上述の括り付け処理のときの赤外線通信に適用される受信感度である。赤外線信号の受信感度が低下することで、カラオケ装置２とリモコン端末３との赤外線による通信可能距離は、通常時よりも短くなる。赤外線信号の受信感度を下げた後、制御部２１は、ＬＡＮ通信部２５を用いて要求元のリモコン端末３に応答を送信する。なお、この時点ではまだ特定処理を実行しない。
【００４６】
リモコン端末３の制御部３１は、送信した実行要求に係る処理が特定処理に該当すると判断した場合、カラオケ装置２から応答を受信したことを条件に、当該特定処理の実行要求を示す情報を、赤外線通信部３６を用いてカラオケ装置２に送信する（Ｓ４４）。
【００４７】
一方、カラオケ装置２の制御部２１は、赤外線信号の受信感度を下げた状態の赤外線通信部２６によって当該特定処理の実行要求を受信したことを条件に、ＬＡＮ通信及び赤外線通信の両方で受信した実行要求に対応する特定処理を実行する（Ｓ４６）。そして、制御部２１は、赤外線通信部２６の赤外線信号の受信感度を、通常時の受信感度に戻す（Ｓ４８）。
【００４８】
［第３実施形態の効果］
第３実施形態では、カラオケ装置２が赤外線通信を用いて特定処理の実行要求を受信するときに、赤外線の受信感度を通常より下げることができる。これにより、赤外線通信の通信可能エリアを一時的に縮小させることができる。赤外線通信の通信可能エリアが縮小するので、特定処理の実行要求の送信を成功させるためには、リモコン端末３を更に確実にカラオケ装置２に接近させる必要がある。よって、利用客がカラオケ装置２を使用しているときに不用意に特定操作を実行させてしまうことを、更に確実に防止できる。
【００４９】
［リモコン端末３が実行する処理の説明］
リモコン端末３の制御部３１が実行する処理の手順について、図４のフローチャートを参照しながら説明する。なお、図４のフローチャートは、上述の第２実施形態（図３（ａ）参照）におけるリモコン端末３に対応するものである。
【００５０】
Ｓ１００では、制御部３１は、操作部３３を介してカラオケ装置２に対して実行させる処理に関する操作指示を受付ける。Ｓ１０２では、制御部３１は、Ｓ１００で受付けた操作指示に該当する処理をカラオケ装置２に実行させるための実行要求の情報を、無線ＬＡＮ通信部３５を用いて、操作対象のカラオケ装置２に送信する。
【００５１】
次のＳ１０４では、制御部３１は、Ｓ１０２で送信した実行要求に係る処理が、特定処理に該当するか否かを判定する。送信した実行要求に係る処理が特定処理に該当する場合（Ｓ１０４：ＹＥＳ）、制御部３１はＳ１０６に進む。一方、送信した実行要求に係る処理が通常処理に該当する場合（Ｓ１０４：ＮＯ）、制御部３１は本処理を終了する。
【００５２】
Ｓ１０６では、制御部３１は、送信した実行要求に対するカラオケ装置２からの応答の有無を判定する。カラオケ装置２は、リモコン端末３から特定処理の実行要求を受信した場合、その実行要求に対する応答をＬＡＮ通信部２５を用いてリモコン端末３に送信する。これに対して、リモコン端末３は、無線ＬＡＮ通信部３５を用いてカラオケ装置２から送信された応答を受信する。カラオケ装置２から実行要求に対する応答を受信した場合（Ｓ１０６：ＹＥＳ）、制御部３１はＳ１０８に進む。一方、カラオケ装置２から実行要求に対する応答を受信しないまま所定の待機時間が経過した場合（Ｓ１０６：ＮＯ）、制御部３１は本処理を終了する。
【００５３】
Ｓ１０８では、制御部３１は、赤外線通信部３６の赤外線信号の出力強度を、通常時の出力強度から一定量低下させる。そして、Ｓ１１０では、制御部３１は、赤外線の出力強度を下げた状態の赤外線通信部３６を用いて、Ｓ１００で受付けた操作指示に該当する処理をカラオケ装置２に実行させるための実行要求の情報を、操作対象のカラオケ装置２に送信する。次のＳ１１２では、制御部３１は、赤外線通信部３６の赤外線信号の出力強度を、通常時の出力強度に戻す。Ｓ１１２の後、制御部３１は本処理を終了する。
【００５４】
［カラオケ装置２が実行する処理の説明］
カラオケ装置２の制御部２１が実行する処理の手順について、図５のフローチャートを参照しながら説明する。なお、図５のフローチャートは、上述の第３実施形態（図３（ｂ）参照）におけるカラオケ装置２に対応するものである。
【００５５】
Ｓ２００では、制御部２１は、括り付けされたリモコン端末３からＬＡＮ通信部２５を介して処理の実行要求を受信する。次のＳ２０２では、制御部２１は、Ｓ２００で受信した実行要求に係る処理が特定処理に該当するか否かを判定する。受信した実行要求に係る処理が特定処理に該当する場合（Ｓ２０２：ＹＥＳ）、制御部２１はＳ２０６に進む。一方、受信した実行要求に係る処理が通常処理に該当する場合（Ｓ２０２：ＮＯ）、制御部２１はＳ２０４に進む。Ｓ２０４では、制御部２１は、受信した実行要求に対応する通常処理を実行し、本処理を終了する。
【００５６】
一方、受信した実行要求に係る処理が特定処理である場合に進むＳ２０６では、制御部２１は、赤外線通信部２６の赤外線信号に対する受信感度を、通常時の受信感度から一定量低下させる。そして、Ｓ２０８では、制御部２１は、ＬＡＮ通信部２５を用いて、実行要求に対する応答を要求元のリモコン端末３に送信する。これに対しリモコン端末３は、カラオケ装置２から応答を受信したことを条件に、赤外線通信部３６を用いて特定処理の実行要求を送信する。
【００５７】
次のＳ２１０では、制御部２１は、受信感度を下げた赤外線通信部２６を介して、特定処理の実行要求を受信することができたか否かを判定する。特定処理の実行要求を受信した場合（Ｓ２１０：ＹＥＳ）、制御部２１はＳ２１２に進む。一方、特定処理の実行要求を受信できなかった場合（Ｓ２１０：ＮＯ）、制御部２１はＳ２１４に進む。
【００５８】
特定処理の実行要求を受信した場合に進むＳ２１２では、制御部２１は、受信した実行要求に対応する特定処理を実行する。次のＳ２１４では、制御部２１は、赤外線通信部２６の赤外線信号の受信感度を、通常時の受信感度に戻す。Ｓ２１４の後、制御部２１は本処理を終了する。
【００５９】
［特許請求の範囲に記載の構成との対応］
実施形態に記載の構成と、特許請求の範囲に記載の構成との対応は次のとおりである。
カラオケ装置２のＬＡＮ通信部２５が、請求項１〜３に記載の第３通信手段、及び請求項５に記載の第１通信手段に相当する。カラオケ装置２の赤外線通信部２６が、請求項１〜３に記載の第４通信手段、及び請求項５に記載の第２通信手段に相当する。カラオケ装置２の制御部２１が、請求項１〜３に記載の第２制御手段、及び請求項５に記載の制御手段に相当する。
【００６０】
リモコン端末３の無線ＬＡＮ通信部３５が、請求項１〜４に記載の第１通信手段に相当する。リモコン端末３の赤外線通信部３６が、請求項１〜４に記載の第２通信手段に相当する。リモコン端末３の制御部３１が、請求項１〜３に記載の第１制御手段、及び請求項４に記載の制御手段に相当する。
【符号の説明】
【００６１】
１…カラオケシステム、２…カラオケ装置、２１…制御部、２２…記憶部、２３…操作部、２４…再生部、２５…ＬＡＮ通信部、２６…赤外線通信部、３…リモコン端末、３１…制御部、３２…記憶部、３３…操作部、３４…表示部、３５…無線ＬＡＮ通信部、３６…赤外線通信部、４…無線ＬＡＮアクセスポイント、１００…有線ＬＡＮ。
【図１】
2015069033.tif 000003
【図２】
2015069033.tif 000004
【図３】
2015069033.tif 000005
【図４】
2015069033.tif 000006
【図５】
2015069033.tif 000007